(57)【要約】  周波数特性の高域側に減衰極を有する広帯域なフィルタ特性のストリップラインフィルタの提供を図る。ストリップラインフィルタ（１）は、少なくとも、共振線路（８Ａ〜８Ｃ）を備え、共振線路（８Ａ，８Ｂ）は平行線路部（１１Ａ，１１Ｂ）と屈曲部（１２Ａ，１２Ｂ）とを備えている。共振線路（８Ｃ）は、両端が開放されたＵ字型形状であり両脇に配置された共振線路（８Ａ，８Ｂ）とインターディジタル結合する。平行線路部（１１Ａ，１１Ｂ）は、側面線路（４Ａ，４Ｃ）を介して接地電極に接続される基端から、共振線路（８Ｃ）の線路部（１３Ｄ，１３Ｆ）に対して平行に延設されている。屈曲部（１２Ａ，１２Ｂ）は、平行線路部（１１Ａ，１１Ｂ）の先端から屈曲して延設され、互いに間隔を隔てて対向している。
2009090814.tif 000002
【特許請求の範囲】
【請求項１】
平板状の誘電体基板の下面に設けた接地電極と、前記誘電体基板の上面に設けた複数の共振線路と、前記誘電体基板の側面に設けられて少なくとも前記接地電極に接続される側面線路と、前記接地電極と各共振線路とが構成する共振器のいずれかに結合する入出力電極と、を備えるストリップラインフィルタであって、
両端が開放されたＵ字型形状であり、両脇に配置された第２および第３の共振線路とインターディジタル結合する第１の共振線路を備え、
前記第２および第３の共振線路は、前記側面線路に接続される基端から、前記第１の共振線路に対して平行に延設された平行線路部と、前記平行線路部の先端から屈曲して延設された屈曲部と、を備え、
前記第２の共振線路の屈曲部と、前記第３の共振線路の屈曲部とを、間隔を隔てて対向させた、ストリップラインフィルタ。
【請求項２】
前記屈曲部は、前記平行線路部よりも線路幅が狭い請求項１に記載のストリップラインフィルタ。
【請求項３】
少なくとも一つの側面線路は、前記複数の共振線路から分離され、各側面における電極形状が、対向する側面における電極形状と合同である、請求項１または２に記載のストリップラインフィルタ。
【請求項４】
前記複数の共振線路から分離された側面線路に接続して、前記誘電体基板の上面に配置され、前記複数の共振線路から分離された電極を備える請求項３に記載のストリップラインフィルタ。
【請求項５】
前記第２の共振線路の屈曲部との間に容量を生じ、且つ、前記第３の共振線路の屈曲部との間に容量を生じる容量付加電極を備える請求項１〜４のいずれかに記載のストリップラインフィルタ。
【請求項６】
前記誘電体基板の上面の電極は感光性電極であり、前記誘電体基板の下面および側面の電極は非感光性電極である請求項１〜５のいずれかに記載のストリップラインフィルタ。
【発明の詳細な説明】
【技術分野】
【０００１】
この発明は、誘電体基板にストリップラインを設けたストリップラインフィルタに関する。
【背景技術】
【０００２】
高周波数帯で広帯域を利用する通信システムに適したフィルタ特性のストリップラインフィルタが考案されている。（特許文献１参照。）。【０００３】
図１に従来のストリップラインフィルタの構成を示す。ストリップラインフィルタ１０１は、３つの共振器を利用したフィルタである。３つの共振器それぞれは誘電体基板の同一主面に設けられた線路１０２，１０３Ａ，１０３Ｂにより構成されている。線路１０２はＵ字型に湾曲した形状であり、その両端が開放されている。線路１０３Ａ，１０３Ｂは一端が接地電極１０５に接続されたＩ字型形状であり、先端が開放されている。これらの共振器間はインターディジタル結合していて、線路１０３Ａ，１０３Ｂには、入出力伝送線路１０４Ａ，１０４Ｂがそれぞれ接続されている。この構成では、共振器間をインターディジタル結合させることにより強く結合させて、フィルタ特性の広帯域化を実現している。
【特許文献１】特開２００１−３５８５０１号公報
【発明の開示】
【発明が解決しようとする課題】
【０００４】
ＵＷＢ（Ultra  Wide  Band）通信などの発展により、ストリップラインフィルタのさらなる広帯域化が望まれている。しかし、従来のストリップラインフィルタでは素子サイズの制約などにより、ストリップラインの線路長や共振器間の結合度に限界があり、広帯域化にも限界があった。【０００５】
また、広帯域な周波数特性を実現しながら、減衰極などを任意に設定することが困難であった。特に、帯域の高域側に減衰極を設け、且つ、その極周波数を精緻に設定することが困難であった。【０００６】
そこでこの発明の目的は、周波数特性の高域側に減衰極を有する広帯域なフィルタ特性のストリップラインフィルタを提供することにある。
【課題を解決するための手段】
【０００７】
この発明のストリップラインフィルタは、接地電極と複数の共振線路と側面線路と入出力電極とを備えている。そして、第１の共振線路と第２の共振線路と第３の共振線路とを備え、第２および第３の共振線路は平行線路部と屈曲部とを備えている。【０００８】
ここで、第１の共振線路は、両端が開放されたＵ字型形状であり両脇に配置された第２および第３の共振線路とインターディジタル結合する。第２および第３の共振線路の平行線路部は、側面線路を介して接地電極に接続される基端から、第１の共振線路に対して平行に延設されている。第２および第３の共振線路の屈曲部は、平行線路部の先端から屈曲して延設され、且つ、間隔を隔てて互いに対向している。【０００９】
この構成では、第２および第３の共振線路が１／４波長共振器を構成する。これらの共振線路は、先端を屈曲させるので基板面積を低減できる。平行線路部の線路長や線路幅と、屈曲部の線路長や線路幅の調整により、１／４波長共振器の共振器長を極めて広範囲に設定でき、第２の共振線路との結合度の設定の自由度が高まる。
さらには、第２の共振線路と第３の共振線路との屈曲部同士を対向させることで、これらの電極の先端間で飛び結合が生じる。この先端での飛び結合により、第２の共振線路と第３の共振線路とは容量性の結合をするので、周波数特性の高域側に減衰極を生じさせられる。この飛び結合の結合量は、屈曲部の電極間隔寸法や対向長さの調整によって広範囲に調整することが可能になる。【００１０】
屈曲部は、平行線路部よりも線路幅が狭くてもよい。屈曲部の線路幅が平行線路部よりも狭いと、その共振線路の線路長は略、平行線路部の線路長で定まることになる。そのため、共振線路の線路長とは略独立に飛び結合量を設定できるようになる。【００１１】
少なくとも一つの側面線路は複数の共振線路から分離され、各側面における電極形状が、対向する側面における電極形状と合同であると好適である。側面電極の形成時に、基板の方向を制御する必要が無くなり、簡易な工程でストリップラインフィルタを構成できるためである。【００１２】
複数の共振線路から分離された側面線路に接続して、前記誘電体基板の上面に配置され、前記複数の共振線路から分離された電極を備えてもよい。製造工程にて誘電体基板のカット時に位置誤差があっても、この電極と共振線路との間隔が安定するので、周波数特性を安定させることができる。【００１３】
第２の共振線路の屈曲部との間に容量を生じ、且つ、第３の共振線路の屈曲部との間に容量を生じる容量付加電極を備えてもよい。これにより、飛び結合量を強めることができる。【００１４】
誘電体基板の上面の電極は感光性電極であり、誘電体基板の下面および側面の電極は非感光性電極であってもよい。これにより、フィルタ特性に大きな影響を及ぼす共振線路などを高精度に形成しながら、接地電極や側面線路などの形成のための工程コストを抑制できる。
【発明の効果】
【００１５】
この発明によれば、１／４波長共振器の開放端に屈曲部を設けて、屈曲部同士を対向させて飛び結合を生じさせるので、１／４波長共振器の線路長や共振器間の結合度を稼ぎながら、周波数特性の高域側に減衰極を生じさせることができる。
【図面の簡単な説明】
【００１６】
【図１】従来のストリップラインフィルタの構成例を説明する図である。
【図２】実施形態に係るストリップラインフィルタの上面側の斜視図である。
【図３】同ストリップラインフィルタの下面側の斜視図である。
【図４】同ストリップラインフィルタの誘電体基板の上面側の斜視図である。
【図５】同ストリップラインフィルタのフィルタ特性の例を説明する図である。
【図６】同ストリップラインフィルタの製造工程を説明する図である。
【図７】ストリップラインフィルタの他の構成例を説明する図である。
【図８】同ストリップラインフィルタのフィルタ特性の例を説明する図である。
【図９】ストリップラインフィルタの他の構成例を説明する図である。
【図１０】同ストリップラインフィルタのフィルタ特性の例を説明する図である。
【図１１】他の実施形態に係るストリップラインフィルタの斜視図である。
【符号の説明】
【００１７】
１，２１，４１，５１…ストリップラインフィルタ
２…ガラス層
３…誘電体基板
４Ａ〜４Ｆ…側面線路
５Ａ，５Ｂ…側面引出電極
６Ａ，６Ｂ…入出力電極
７…接地電極
８Ｃ…１／２波長共振線路
８Ａ，８Ｂ…１／４波長共振線路
９Ａ…ダミー電極先端部
１０Ａ，１０Ｂ…上面引出電極
１１Ａ，１１Ｂ…平行線路部
１２Ａ，１２Ｂ…屈曲部
１３Ａ〜１３Ｉ…線路部
２１…ストリップラインフィルタ
２２Ａ，２２Ｂ…屈曲部
４１…ストリップラインフィルタ
４２Ａ，４２Ｂ…屈曲部
【発明を実施するための最良の形態】
【００１８】
以下、本発明の実施形態に係るストリップラインフィルタの構成例を説明する。【００１９】
ここで示すストリップラインフィルタは帯域通過型のフィルタである。ここで示すフィルタは、３GＨｚ以上の高周波帯に対応するＵＷＢ通信に利用される。【００２０】
図２は、ストリップラインフィルタの上面側の斜視図である。【００２１】
ストリップラインフィルタ１は、誘電体基板３とガラス層２とを備える。基板３は酸化チタン等からなる比誘電率が約１１１の小型直方体状のセラミック焼結基板である。基板３の組成および寸法は周波数特性などを考慮して適宜設定している。ガラス層２は、厚み約１５μｍの透光性ガラスと遮光性ガラスとを積層した層であり、ストリップラインフィルタ１の機械的保護、耐環境性向上などを目的として誘電体基板３の上面に積層している。なお、ガラス層２は、必ずしも設けなくてもよい。【００２２】
ストリップラインフィルタ１の、図中に示す側面には側面線路４Ａ〜４Ｃと側面引出電極５Ａとを設けている。また、側面線路４Ａ〜４Ｃを設けた側面に対向する側面には、図示していない側面線路４Ｄ〜４Ｆを側面線路４Ａ〜４Ｃと合同に設けている。側面引出電極５Ａを設けた側面に対向する側面には、図示していない側面引出電極５Ｂを側面引出電極５Ａと合同に設けている。【００２３】
図３は、ストリップラインフィルタの下面側の斜視図である。この図中に示す側面には側面線路４Ｄ〜４Ｆと側面引出電極５Ａとを設けている。【００２４】
誘電体基板３の下面は、このストリップラインフィルタ１の実装面であり、接地電極７と入出力電極６Ａ，６Ｂとを備えている。入出力電極６Ａ，６Ｂは、このストリップラインフィルタ１を実装基板に実装する際に、高周波信号入出力端子に接続される。接地電極７は共振器のグランド面であり、実装基板の接地電極に接続される。【００２５】
接地電極７は誘電体基板３の下面の略全面に設けられていて、入出力電極６Ａ，６Ｂは接地電極７に設けられた電極非形成部に、入出力電極６Ａ，６Ｂから分離して設けられている。接地電極７には、側面線路４Ａ〜４Ｆが接続されている。入出力電極６Ａには側面引出電極５Ａが接続されている。入出力電極６Ｂには側面引出電極５Ｂが接続されている。これらの電極は厚み約１２μｍ以上の銀電極であり、基板３にスクリーンマスク、メタルマスク、または他の塗布手段を用いて非感光性の銀ペーストを塗布し、焼成してなる。【００２６】
図４は、ガラス層を除いた誘電体基板の上面側の斜視図である。【００２７】
誘電体基板３の上面には、ダミー電極先端部９Ａ〜９Ｄと上面引出電極１０Ａ，１０Ｂと１／４波長共振線路８Ａ，８Ｂと１／２波長共振線路８Ｃとが設けられている。１／２波長共振線路８Ｃは、１／４波長共振線路８Ａと１／４波長共振線路８Ｂとの間に配置されている。これらの電極は厚み約５μｍ以上の銀電極であり、基板３に感光性銀ペーストを塗布し、フォトリソグラフィプロセスによりパターン形成し、焼成してなる。これらの電極を感光性銀電極とすることによって、電極の形状精度を高めて、ＵＷＢ通信に利用可能なストリップラインフィルタとしている。【００２８】
１／４波長共振線路８Ａは、平行線路部１１Ａと屈曲部１２Ａとを備えている。１／４波長共振線路８Ｂは、平行線路部１１Ｂと屈曲部１２Ｂとを備えている。平行線路部１１Ａ，１１Ｂは、それぞれ基端が側面線路４Ａ，４Ｃに接続されている。屈曲部１２Ａ，１２Ｂは、平行線路部１１Ａ，１１Ｂの先端から垂直に屈曲し、互いの先端が対向している。この１／４波長共振線路８Ａ，８Ｂはそれぞれ先端が開放されていて、１／４波長共振線路８Ａ，８Ｂは第２および第３の共振線路に相当する。ここでは、平行線路部１１Ａ，１１Ｂの線路幅は、必要とする周波数特性を実現するために調整していて、屈曲部１２Ａ，１２Ｂの線路幅より広くしている。そのため、１／４波長共振線路８Ａ，８Ｂの構成する共振器の共振器長は、主に平行線路部１１Ａ，１１Ｂの線路長と線路幅とで定まっている。【００２９】
１／２波長共振線路８Ｃは、線路部１３Ａ〜１３Ｉから構成されている。線路部１３Ｅは、１／４波長共振線路８Ａ，８Ｂの屈曲部１２Ａ，１２Ｂに対して平行に延設されている。線路部１３Ｄ，１３Ｆは、それぞれ線路部１３Ｅの両端から、１／４波長共振線路８Ａ，８Ｂの平行線路部１１Ａ，１１Ｂと平行に延設されている。線路部１３Ｃ，１３Ｇは、線路部１３Ｅと逆側で、それぞれ線路部１３Ｄ，１３Ｆの端部から垂直に屈曲し、基板中央側に延設されている。線路部１３Ｂ，１３Ｈは、それぞれ線路部１３Ｃ，１３Ｇの先端から垂直に屈曲し、基板中央側に延設されている。線路部１３Ａ，１３Ｉは、それぞれ線路部１３Ｂ，１３Ｈの先端から垂直に屈曲し、基板外側に延設され、それぞれの先端が開放されている。この１／２波長共振線路８Ｃは第１の共振線路に相当する。ここでは、１／２波長共振線路８Ｃを複数回内側に折り返したＵ字型形状とすることで、線路長を稼いでいる。【００３０】
上面引出電極１０Ａ，１０Ｂは、それぞれ、側面引出電極５Ａ，５Ｂに接続されている。これにより、第１の共振線路８Ａの構成する共振器と入出力電極６Ａとがタップ結合し、第３の共振線路８Ｂの構成する共振器と入出力電極６Ｂとがタップ結合し、強い外部結合を得ることができる。【００３１】
ダミー電極先端部９Ａ〜９Ｄは、それぞれ、側面線路４Ｂ，４Ｄ〜４Ｆに接続されている。これらのダミー電極先端部９Ａ〜９Ｄおよび側面線路４Ｂ，４Ｄ〜４Ｆの組は、それぞれダミー電極を構成する。これらのダミー電極は、ストリップラインフィルタ１の回路構成には不要であるが、ストリップラインフィルタ１の対向する側面での電極形状を合同なものにするために設けている。これにより、側面への電極形成工程にて、誘電体基板の向きを制御する必要がなくなり、容易に側面へ電極形成できる。また、他の回路構成のチップ素子を、同一の基板サイズと同一の側面電極形状で構成する場合に、側面への電極形成工程を共通化できる。【００３２】
なお、単に、側面の電極形状を合同にするだけならば、ダミー電極先端部９Ａ〜９Ｄは設ける必要がない。しかし、仮にストリップラインフィルタ１の製造時に誘電体基板３のカット位置がずれれば、ダミー電極先端部９Ａ〜９Ｄを設けていない場合に共振線路８Ａ〜８Ｃとダミー電極との間の間隔寸法が変化して電気特性が不安定化する。そこで、ダミー電極先端部９Ａ〜９Ｄを設けることで、仮にストリップラインフィルタ１の製造時に誘電体基板３のカット位置がずれても、間隔寸法の変化を抑止でき、電気特性を安定化させられる。【００３３】
また、ここでは、上面の電極と側面の電極との接続部では上面の電極をより幅広に構成している。これは、側面の電極形成時に位置ずれが起こっても、上面と側面とでの電極接続幅が変わらないようにするためである。この構成により、電極接続幅が安定するので、ストリップラインフィルタ１の電気特性をより安定化させられる。【００３４】
以上の構成により、ストリップラインフィルタ１は、３段の共振器が結合した帯域通過フィルタとなる。ここで、共振線路８Ａ，８Ｂの開放端と共振線路８Ｃの開放端とを逆側に向かせて、これらの共振線路の構成する共振器を互いにインターディジタル結合させている。そのため、共振器間の結合が強くなり、ストリップラインフィルタ１の通過帯域を広帯域化できる。【００３５】
なお、側面での電極厚みを上面での電極厚みよりは厚いものにしているので、一般に電流集中が生じる接地端側の部位での電流を分散させ、導体ロスを低減させている。この構成によって、このストリップラインフィルタ１は挿入損失が小さい素子になっている。【００３６】
さて、基板３の上面において、共振線路８Ａ，８Ｂは、それぞれの屈曲部１２Ａ，１２Ｂが互いに対向するので、屈曲部１２Ａ，１２Ｂ間の間隔と対向長とに応じた容量が屈曲部１２Ａ，１２Ｂ間に生じることになる。この容量は、第１の共振線路８Ａと第３の共振線路８Ｂとを飛び結合させる。屈曲部１２Ａ，１２Ｂが、共振線路８Ａ，８Ｂの開放端に容量を付与するので、共振線路８Ａ，８Ｂの構成する共振器間は容量性結合し、ストリップラインフィルタ１の通過帯域の高域側に減衰極が生じることになる。【００３７】
また、共振線路８Ａ，８Ｂそれぞれの屈曲部１２Ａ，１２Ｂは、共振線路８Ｃと間隔を隔てて対向する。このため、屈曲部１２Ａ，１２Ｂを設けない場合に比べて、共振線路８Ａおよび共振線路８Ｃ間の結合や、共振線路８Ｂおよび共振線路８Ｃ間の結合は、それぞれ極めて強くなっている。したがって、ストリップラインフィルタ１の通過帯域はより広帯域化されたものになっている。【００３８】
図５は、ストリップラインフィルタ１のフィルタ特性の例を説明する図である。図中のグラフの横軸は周波数を、縦軸は減衰量を示している。ここで示すフィルタ特性はシミュレーションの結果である。ここではストリップラインフィルタ１の通過帯域が、約７．０ＧＨzから約９．２ＧＨzとなるようにしている。【００３９】
シミュレーションの結果、通過帯域の高域側には、周波数約１１．７ＧＨｚに減衰極が生じた。この通過帯域の高域側減衰極は、第１の共振線路８Ａと第３の共振線路８Ｂとの間の飛び結合により生じたものである。この構成のフィルタでは、通過帯域の高域側で、周波数特性が急峻に立ち下がるので、隣接する他の周波数帯域の信号を通過させることなく、約７．０ＧＨzから約９．２ＧＨzの通過帯域の信号のみを通過させることができる。【００４０】
なお、飛び結合の強さは、屈曲部同士の電極間隔以外にも、それらの対向長さによっても調整できる。同一の間隙寸法であっても対向長さを長くすることで、屈曲部間の容量を大きくすることができる。したがって、屈曲部の先端部のみ線路幅を広げて屈曲部間の容量を稼ぐようにしても好適である。【００４１】
次に、ストリップラインフィルタ１の製造工程を説明する。【００４２】
図６は、ストリップラインフィルタ１の製造工程を説明するフローである。【００４３】
（Ｓ１）まず、いずれの面にも電極を形成していない誘電体母基板を用意する。【００４４】
（Ｓ２）次に、上記誘電体母基板に対して、下面に導電体ペーストをスクリーン印刷またはメタルマスク印刷し、焼成を経て接地電極７および入出力電極６Ａ，６Ｂを形成する。【００４５】
（Ｓ３）次に、誘電体母基板に対して、上面に感光性導電体ペーストを印刷し、露光、現像するフォトリソグラフィプロセスを経て、焼成により共振線路８Ａ〜８Ｃとダミー電極先端部９Ａ〜９Ｄと上面引出電極１０Ａ，１０Ｂとを形成する。フォトリソグラフィプロセスでは、電極を３０μｍ程度まで細線化でき、極めて高い位置精度で電極を形成できる。【００４６】
（Ｓ４）次に、誘電体母基板の上面側にガラスペーストを印刷し、焼成を経て透明なガラス層を形成する。この工程によりガラス層２が形成される。【００４７】
（Ｓ５）次に、上記のようにして構成した誘電体母基板からダイシングなどにより多数の誘電体基板３を切り出す。【００４８】
（Ｓ６）次に、誘電体基板３を配列して、所定パターンのメタルマスクまたはスクリーンマスクにより導電体ペーストを印刷する、あるいは他の塗布手段を用いて導電ペーストを塗布するプロセスを経て、焼成により電極を形成する。この電極形成プロセスを各側面に実施することで、側面引出電極５Ａ，５Ｂと、側面線路４Ａ〜４Ｆと、が形成される。この印刷プロセスでは、電極は１００μｍ程度までしか細線化できず、フォトリソグラフィプロセスに比べて低い位置精度でしか電極を形成できないが、低コストに電極を形成できる。【００４９】
以上の工程により、ストリップラインフィルタ１は製造されている。【００５０】
なお、以上の工程の後に、例えば、切削等により屈曲部間の電極間隙寸法を調整することで、飛び結合の結合量を調整することも可能である。このような調整を行うと、通過帯域の高域側減衰極の極周波数を精緻に設定することができる。【００５１】
次に、上述のストリップラインフィルタ１とは屈曲部の電極間隔が相違する構成でのフィルタ特性について説明する。【００５２】
図７は、ストリップラインフィルタの他の構成を説明する斜視図である。なお、同図では、上述のストリップラインフィルタ１と同様な構成には同じ符号を付している。ここで示すストリップラインフィルタ２１は、屈曲部２２Ａ，２２Ｂの線路長がストリップラインフィルタ１よりも短く、屈曲部２２Ａ，２２Ｂ間の電極間隔が広い構成となっている。【００５３】
この場合、屈曲部２２Ａ，２２Ｂは、互いに大きな間隔を隔てて対向するため、ストリップラインフィルタ１と比べて、屈曲部２２Ａ，２２Ｂ間には小さな容量が生じることになる。この容量は、第１の共振線路８Ａと第３の共振線路８Ｂとを飛び結合させるが、ストリップラインフィルタ２１の通過帯域の高域側減衰極は、通過帯域から若干離れることになる。【００５４】
図８は、ストリップラインフィルタ２１のフィルタ特性の例を説明する図である。図中のグラフの横軸は周波数を、縦軸は減衰量を示している。ここで示すフィルタ特性はシミュレーションの結果である。ここではストリップラインフィルタ１の通過帯域が、約７．０ＧＨzから約９．２ＧＨzとなるようにしている。【００５５】
シミュレーションの結果、通過帯域の高域側には、周波数約１４．０ＧＨｚに減衰極が生じた。この構成では、通過帯域の高域側で、周波数特性が緩やかに立ち下がるので、その減衰極約１４．０ＧＨｚ周辺の周波数帯域の信号を通過させることなく、約７．０ＧＨzから約９．２ＧＨzの通過帯域の信号をおもに通過させることができる。【００５６】
図９は、ストリップラインフィルタの他の構成を説明する斜視図である。同図では、上述のストリップラインフィルタ１と同様な構成には同じ符号を付している。ここで示すストリップラインフィルタ４１は、屈曲部４２Ａ，４２Ｂの線路長がストリップラインフィルタ２１よりも短く、屈曲部４２Ａ，４２Ｂ間の電極間隔がさらに広い構成となっている。【００５７】
この場合、屈曲部４２Ａ，４２Ｂは、さらに大きな間隔を隔てて対向するため、ストリップラインフィルタ１やストリップラインフィルタ２１と比べて、屈曲部４２Ａ，４２Ｂ間にさらに小さな容量が生じることになる。この容量は、第１の共振線路８Ａと第３の共振線路８Ｂとを飛び結合させるが、ストリップラインフィルタ４１の通過帯域高域側の減衰極は、通過帯域からさらに離れることになる。【００５８】
図１０は、ストリップラインフィルタ４１のフィルタ特性の例を説明する図である。図中のグラフの横軸は周波数を、縦軸は減衰量を示している。ここで示すフィルタ特性はシミュレーションの結果である。ここではストリップラインフィルタ１の通過帯域が、約７．０ＧＨzから約９．２ＧＨzとなるようにしている。【００５９】
シミュレーションの結果、通過帯域の高域側には、周波数１５．０ＧＨｚよりも高い周波数で減衰極が生じた。この構成では、通過帯域の高域側で、周波数特性が緩やかに立ち下がるので、減衰極周辺の周波数帯域の信号を通過させることなく、約７．０ＧＨzから約９．２ＧＨzの通過帯域の信号をおもに通過させることができる。【００６０】
次に、ストリップラインフィルタの他の実施形態を説明する。【００６１】
図１１は、ストリップラインフィルタ５１の斜視図である。ここでは、上述のストリップラインフィルタ１と同様な構成には同じ符号を付している。ここで示すストリップラインフィルタ５１は、屈曲部２２Ａ，２２Ｂ間の容量を増やすために、屈曲部２２Ａ，２２Ｂに対向するガラス層２の上面に容量付加電極５９を設けた構成である。この構成では、屈曲部１２Ａ，１２Ｂ間の容量をさらに増やすことができる。したがって、この構成では飛び結合を強めて、高域側減衰極を通過特性にさらに近づけることができる。【００６２】
以上で示したように、屈曲部間の容量の調整によって高域側減衰極の周波数を任意に設定することができる。屈曲部間の容量の調整は、共振線路の線路長や共振器間の結合と略独立に行えるため、周波数特性の高域側に減衰極を有する広帯域なフィルタ特性を実現することが可能になる。【００６３】
なお、上記した実施形態での上面共振線路や引出電極の配置位置や形状は製品仕様に応じたものであり、製品仕様に応じたどのような配置位置や形状であっても良い。例えば、複数の共振器をインターディジタル結合させる構成のほか、コムライン結合させる構成を採用してもよい。本発明は上記構成以外であっても適用でき、多様なフィルタのパターン形状に採用できる。また、このフィルタに、他の構成（高周波回路）をさらに配しても良い。
【図１】
2009090814.tif 000003
【図２】
2009090814.tif 000004
【図３】
2009090814.tif 000005
【図４】
2009090814.tif 000006
【図５】
2009090814.tif 000007
【図６】
2009090814.tif 000008
【図７】
2009090814.tif 000009
【図８】
2009090814.tif 000010
【図９】
2009090814.tif 000011
【図１０】
2009090814.tif 000012
【図１１】
2009090814.tif 000013
【国際調査報告】
2009090814.tif 000014
2009090814.tif 000015
2009090814.tif 000016
2009090814.tif 000017